(57)【要約】【課題】【解決手段】モーションキャプチャにおける眼球運動データ置換方法であって、第２の動作主についてのモーションデータが撮取されたモーションキャプチャセッションの後で、第１の動作主から眼球運動データを撮取すること、前記第２の動作主のための眼球運動データとして、前記第１の動作主から撮取された前記眼球運動データを、前記モーションキャプチャセッションの間に得られたモーションデータと組み合わせて表現すること、を備え、前記第１の動作主から眼球運動データを撮取することにおいて、前記第１の動作主は干渉信号を発生する顔面筋肉の最小限の動作で前記眼球運動データのみを生成するための実演を行う。【選択図】図１
2009521759.tif 000002
【特許請求の範囲】
【請求項１】
モーションキャプチャにおける眼球運動データ置換方法であって、
第２の動作主についてのモーションデータが撮取されたモーションキャプチャセッションの後で、第１の動作主から眼球運動データを撮取すること、
前記第２の動作主のための眼球運動データとして、前記第１の動作主から撮取された前記眼球運動データを、前記モーションキャプチャセッションの間に得られたモーションデータと組み合わせて表現すること、
を備え、
前記第１の動作主から眼球運動データを撮取することにおいて、前記第１の動作主は干渉信号を発生する顔面筋肉の最小限の動作で前記眼球運動データのみを生成するための実演を行うことを特徴とする眼球運動データ置換方法。
【請求項２】
さらに、前記モーションキャプチャセッションの間に前記第２の動作主から眼球運動データを撮取すること、
を備えることを特徴とする請求項１の眼球運動データ置換方法。
【請求項３】
前記第２の動作主から眼球運動データを撮取することは、前記第２の動作主の眼球運動を表示する信号を測定するためのEOG電極を用いて測定することを含むことを特徴とする請求項２の眼球運動データ置換方法。
【請求項４】
さらに、前記第２の動作主の視点からイメージ(POV)を撮取することおよび記録すること、を備えることを特徴とする請求項１の眼球運動データ置換方法。
【請求項５】
さらに、前記第２の動作主の視点からイメージ(POV)を生成することおよび記録すること、
を備えることを特徴とする請求項１の眼球運動データ置換方法。
【請求項６】
前記第１の動作主から眼球運動データを撮取することは、
前記第１の動作主へEOG電極を取り付けること、
前記第２の動作主のPOVイメージをVRゴーグルにダウンロードすること、
前記EOG電極からの信号を用いて前記第１の動作主の眼球運動を測定すること、
を含むことを特徴とする請求項１の眼球運動データ置換方法。
【請求項７】
さらに、前記モーションキャプチャセッションの間、前記第２の動作主から眼球運動データを撮取すること、
を備え、
前記第２の動作主から眼球運動データを撮取することにおいて、前記第２の動作主は顔面モーションデータを生成するために顔面筋肉を活発に動かすことを特徴とする請求項６の眼球運動データ置換方法。
【請求項８】
前記第１の動作主から撮取された眼球運動データを表現することは、前記第２の動作主から撮取された前記眼球運動データを、前記第１の動作主から撮取された前記眼球運動データで置換すること、を含むことを特徴とする請求項７の眼球運動データ置換方法。
【請求項９】
請求項１の眼球運動データ置換方法を用いて作成された少なくとも１つのイメージを記憶するように設定された記憶媒体。
【請求項１０】
前記少なくとも１つのイメージは、動画を形成するように設定されたことを特徴とする請求項９の記憶媒体。
【請求項１１】
モーションキャプチャにおける眼球運動データ置換方法であって、
モーションキャプチャセッションの後で、アニメーターから眼球運動データを撮取すること、
前記モーションキャプチャセッションの間に得られた眼球運動データを、前記アニメーターから撮取された前記眼球運動データで置換すること、
を備え、
前記アニメーターから眼球運動データを撮取することにおいて、前記アニメーターは干渉信号を生成する顔面筋肉の最小限の動作で眼球運動データのみを生成するための実演を行うことを特徴とする眼球運動データ置換方法。
【請求項１２】
請求項１１の眼球運動データ置換方法を用いて作成された少なくとも１つのイメージを記憶するように設定された記憶媒体。
【請求項１３】
前記少なくとも１つのイメージは、動画を形成するように設定されたことを特徴とする請求項１２の記憶媒体。
【請求項１４】
モーションキャプチャにおける眼球運動データ置換方法であって、
モーションキャプチャセッションの後で、アニメーターから眼球運動データを光学的に撮取すること、
前記モーションキャプチャセッションの間に得られた眼球運動データを、前記アニメーターから光学的に撮取された前記眼球運動データで置換すること、
を備えることを特徴とする眼球運動データ置換方法。
【請求項１５】
請求項１４の眼球運動データ置換方法を用いて作成された少なくとも１つのイメージを記憶するように設定された記憶媒体。
【請求項１６】
前記少なくとも１つのイメージは、動画を形成するように設定されたことを特徴とする請求項１５の記憶媒体。
【請求項１７】
コンピュータ可読な記憶メディアに記憶され、モーションキャプチャにおける眼球運動データを置換するためのコンピュータプログラムであって、
第２の動作主についてのモーションデータが撮取されたモーションキャプチャセッションの後で、第１の動作主から眼球運動データを撮取することをコンピュータに実行させる実行可能命令を備え、
前記第１の動作主から眼球運動データを撮取することにおいて、前記第１の動作主は干渉信号を生成する顔面筋肉の最小限の動作で前記眼球運動データのみを生成するための実演を行うことを特徴とするコンピュータプログラム。
【請求項１８】
さらに、前記第２の動作主のために、前記第１の動作主から前記眼球運動データとして撮取された眼球運動データを、前記モーションキャプチャセッションの間に得られたモーションデータと組み合わせて表現することをコンピュータに実行させる実行可能命令を備えることを特徴とする請求項１７のコンピュータプログラム。
【請求項１９】
さらに、前記モーションキャプチャセッションの間に前記第２の動作主から眼球運動データを撮取することをコンピュータに実行させる実行可能命令を備えることを特徴とする請求項１７のコンピュータプログラム。
【請求項２０】
前記第２の動作主から眼球運動データを撮取することをコンピュータに実行させる実行可能命令は、
前記第２の動作主の眼球運動を表示するEOG電極信号を測定することをコンピュータに実行させる実行可能命令を含むことを特徴とする請求項１９のコンピュータプログラム。
【請求項２１】
さらに、前記第２の動作主の視点からイメージ（POV）を撮取および記録することをコンピュータに実行させる実行可能命令を備えることを特徴とする請求項１７のコンピュータプログラム。
【請求項２２】
さらに、前記第２の動作主の視点からイメージ（POV）を生成および記録することをコンピュータに実行させる実行可能命令を備えることを特徴とする請求項１７のコンピュータプログラム。
【請求項２３】
前記第１の動作主から眼球運動データを撮取することをコンピュータに実行させる実行可能命令は、
前記第２の動作主のPOVイメージをVRゴーグルにダウンロードし、
前記第１の動作主へ取り付けられたEOG電極からの信号を用いて前記第１の動作主の眼球運動を測定する、
ことをコンピュータに実行させる実行可能命令を含むことを特徴とする請求項１７のコンピュータプログラム。
【請求項２４】
さらに、前記モーションキャプチャセッションの間に、前記第２の動作主から眼球運動データを撮取することをコンピュータに実行させる実行可能命令を備え、
前記第２の動作主から眼球運動データを撮取することにおいて、前記第２の動作主は顔面モーションデータを生成するために顔面筋肉を活発に動かすことを特徴とする請求項２３のコンピュータプログラム。
【請求項２５】
前記コンピュータに前記第１の動作主から撮取した眼球運動データを表現させる実行可能命令は、
前記第２の動作主から撮取した眼球運動データを、前記第１の動作主から撮取した眼球運動データで置換することをコンピュータに実行させる実行可能命令を含むことを特徴とする請求項２４のコンピュータプログラム。
【請求項２６】
モーションキャプチャにおける眼球運動データ置換装置であって、
前記第２の動作主についてのモーションデータが撮取されたモーションキャプチャセッションの後で、前記第１の動作主から眼球運動データを撮取する手段と、
前記モーションキャプチャセッションの間に前記第２の動作主から撮取された眼球運動データを、前記第１の動作主から撮取された眼球運動データで置換する手段と、
を備え、
前記第１の動作主から眼球運動データを撮取する手段において、前記第１の動作主は干渉信号を生成する顔面筋肉の最小限の動作で眼球運動データのみを生成するための実演を行うことを特徴とする請求項２４の眼球運動データ置換装置。
【請求項２７】
請求項２６の眼球運動データ置換装置を用いて作成された少なくとも１つのイメージを記憶するように設定されたことを特徴とする記憶媒体。
【請求項２８】
前記少なくとも１つのイメージは、動画を形成するように設定されたことを特徴とする請求項２７の記憶媒体。
【発明の詳細な説明】
【技術分野】
【０００１】
本発明は、グラフィックおよびアニメーションに関し、より具体的には、モーションキャプチャを通じて生成されたデータを用いて、グラフィックおよびアニメーションにおける眼球運動データを置換すること、に関する。
【背景技術】
【０００２】
モーションキャプチャシステムは、実在の物の動作を撮り、それをコンピュータで生成された対象へマップするものである。このようなシステムは、動画やビデオゲームの製作において、コンピュータグラフィックアニメーション作成用のソースデータとして用いられる物体／人物のデジタル表現を作成するために、しばしば使用されている。
【０００３】
一般的なモーションキャプチャシステムは、一定空間を取り囲み、様々な場所にマーカーが装着されたスーツを着用した動作主の動作を撮取する、複数の固定モーションキャプチャカメラを有する（例えば、体と手足に装着された小さな反射マーカーを有する）。カメラは、マーカーを照らしながら、異なった角度から動作主の動作を記録する。このシステムは、その後、イメージを分析し、各フレーム内の動作主のスーツに取り付けられたマーカーの位置（例えば、空間的座標）および方向を特定する。マーカーの場所を追跡することによって、このシステムはマーカーの空間的表現を時間に亘って作成し、動作中の動作主のデジタル表現を構築する。この動作はその後、デジタルモデルへ適用され、動作主および／または実演の完全なCG表現を製作するため、テクスチャード加工され、レンダリングされる。この技術は、特殊効果会社が用い、多くの人気映画の中での現実的なアニメーションを製作している。
【０００４】
例えばキーフレーミングのような、従来のアニメーション技術におけるモーションキャプチャシステムの利点は、リアルタイム可視化の機能である。最適データを撮取するために、動作主が物理的な動作を変更することができるようにしながら、製作チームは、リアルタイム又はほぼリアルタイムで動作主の動作の空間表現を評価できる。さらに、モーションキャプチャシステムは、他のアニメーション技術を駆使しても簡単には再生できない物理的な動作のかすかなニュアンスを検出し、それによって、ありのままの動作をより正確に反映したデータを生成する。結果的に、モーションキャプチャシステムによって集められたソースマテリアルを用いて作成されたアニメーションは、より実物そっくりな外観を表現するだろう。
【発明の開示】
【発明が解決しようとする課題】
【０００５】
これらのモーションキャプチャシステムの利点にもかかわらず、従来のモーションキャプチャの欠点は、動作主の眼にはマーカーを取り付けることができないため、正確な眼球運動を撮取することが難しいことである。
【課題を解決するための手段】
【０００６】
本発明の実施形態は、モーションキャプチャにおける眼球運動データ置換を提供する。  第一の実施形態は、モーションキャプチャにおける眼球運動データ置換方法であって、第２の動作主についてのモーションデータが撮取されたモーションキャプチャセッションの後で、第１の動作主から眼球運動データを撮取すること、前記第２の動作主のための眼球運動データとして、前記第１の動作主から撮取された前記眼球運動データを、前記モーションキャプチャセッションの間に得られたモーションデータと組み合わせて表現すること、を備え、前記第１の動作主から眼球運動データを撮取することにおいて、前記第１の動作主は干渉信号を発生する顔面筋肉の最小限の動作で前記眼球運動データのみを生成するための実演を行う。
【０００７】
別の実施形態は、モーションキャプチャにおける眼球運動データ置換方法であって、モーションキャプチャセッションの後で、アニメーターから眼球運動データを撮取すること、前記モーションキャプチャセッションの間に得られた眼球運動データを、前記アニメーターから撮取された前記眼球運動データで置換すること、を備え、前記アニメーターから眼球運動データを撮取することにおいて、前記アニメーターは干渉信号を生成する顔面筋肉の最小限の動作で眼球運動データのみを生成するための実演を行う。
【０００８】
その他本発明の特徴および利点は、当業者が以下の詳細な説明および添付図面を参照すればより容易に理解するだろう。
【発明を実施するための最良の形態】
【０００９】
本発明の実施形態は、モーションキャプチャによって生成されたデータを用いて、グラフィックおよびアニメーションにおける眼球運動データ置換を含む。
【００１０】
本説明を読めば、当業者にとって、様々な代替的な実施形態および代替的な用途における発明の改良方法が明らかになるだろう。しかしながら、本発明の様々な実施形態は以下に説明され、これらの実施形態は、本発明の範囲を何ら制限するものではないことは認識されよう。様々な代替的な実施形態の詳細な説明は、添付された請求項において説明される本発明の範囲または幅を制限するために解釈されるべきではない。
【００１１】
図１は、モーションキャプチャシステム100を図示するブロック図である。このモーションキャプチャシステム100は、N個のモーションキャプチャ（MOCAP）カメラからの入力データを処理するために設定されたモーションキャプチャ処理装置110を有する。入力データは、複数の体と顔のマーカーからの撮取されたマーカーデータを含む。モーションキャプチャ処理装置110は、また、適切な電極インタフェイス130を通じて複数の眼球運動電極対へと通信するように構成されている。モーションキャプチャ処理装置110は、関連したデータファイルの記憶ができるように構成されたデータ記憶デバイス120を有するプログラム可能なコンピュータをさらに含んでもよい。当分野で周知のように、1つ以上のコンピュータワークステーションは、マルチグラフィックアーティストがコンピュータグラフィックアニメーションの作成の過程において記憶されたデータファイルを扱うことができるように、ネットワークを用いてモーションキャプチャシステム110と接続されるようにしてもよい。モーションキャプチャ処理装置110は、娯楽産業のための3Dグラフィックス及びアニメーションの作成を可能とする市販のソフトウェアパッケージにより供給されるようなコンピュータグラフィックアニメーションシステムをさらに含んでもよい。コンピュータグラフィックアニメーションシステムは、モーションキャプチャ処理装置110からの完全に分離されたコンピュータハードウェアおよびソフトウェアシステムを備えてもよく、または代替的に通常のハードウェアおよびソフトウェアシステムの一部として、モーションキャプチャ処理装置110（つまり“プラグイン”として）と合体してもよいと、理解すべきである。
【００１２】
眼球運動電極対は、電極140A、140B、および142A、142Bを有し、それぞれの導電体150A、150Bおよび152A、152Bを通じて電極インタフェイス130と接続されている。また、接地電極144は導電体154を通じて電極インタフェイス130と接続している。第一の実施形態では、眼球運動は眼球から眼電図(EOG) を入手および測定することによって検出される。
【００１３】
図２は、眼の位置に関して、EOG電極対140A、140B、142A、142Bおよび接地電極144についての指定された位置を示す。眼に近接した電極対の位置210および212（電極対140Aおよび140Bに対応する）は、眼球の左右の動作に連動した信号の検出に適している。片眼の上下にある電極対の位置220および222（電極対142A、142Bに対応する）は、眼の動作の上下に連動した信号の検出に適している。接地電極位置230（接地電極144に対応する）は、額に位置している。接地電極144は、首、肩、肘、等のように顔面筋肉の活用および動作による干渉を受けない体の場所ならばどんな場所であっても貼ることができることに注意されたい。額は、顔面筋肉の活動に干渉されずに、その他の電極に極めて接近しているため、設置電極としては都合の良い位置を代表するものである。動作主の二つの眼を表わす双極子は平行に動くため、片眼からの上下動作を受け取ることだけが必要である。EOG電極は、化粧用の接着剤を使用するなどの従来の方法により、指定された位置の動作主の皮膚表面へ取り付けることが出来る。
【００１４】
図３は、人間の眼300の側断面図である。角膜302は眼の表面前方に位置し、物体から反射された光線を伝達する面を与える。光線は、角膜302、レンズ304、硝子体312によって曲げられ、反射され、集光される。眼底308は、網膜306を含む眼の凹面内部を与える。レンズ302は、網膜306上へ物体のイメージを集光し、網膜306は、光線を、視神経310を通じて脳へ伝達される電気的刺激へ変換する。技術的に理解されるように、角膜302と眼底308の間には電位が存在する。この電位は、測定可能な電場を発する双極子で構成され、電場の変化量が、眼の動作と関連付けられるようになっている。
【００１５】
図４Aおよび４Bは、電極対140A、140Bによって囲まれた2つの双極子を示す。2つの双極子は動作主の眼400L、400Rのそれぞれと一致する。図４Aに示されるように、電極140A、140Bの間で測定された電場は、双極子(つまり眼)が前方を向いているときにはゼロ（null）である。図４Bでは、双極子は右に向けられ、それによって電極140A、140Bの間に正の電界を生じさせている。接地に対する電極140A、140B間の電場変化量は、眼に関する適切な位置情報を与える。この電場変化量は、名目的な前方向からおおよそ±20度の範囲についての眼球運動に関してほとんど線形のままである。
【００１６】
さて、図１に戻り、モーションキャプチャ処理装置110は、EOG電極によって検出された信号を処理および増幅させるものである。処理された信号は、動作主の頭部と顔のデジタルモデルにおいて眼を生き生きと描写するのに用いられる（2004年11月8日に出願され、参照することにより本願に組み込まれる“コンピュータグラフィックスについての顔面筋肉および眼球運動を追跡するシステムおよび方法”についてのU.S.特許出願10/984,488を参照）。しかしながら、モーションキャプチャセッションの間、動作主が活発に顔面の筋肉を動かすと、筋肉の動作からの信号は、EOG電極から検出された信号としばしば干渉する。したがって、この問題を打破するため、キャプチャセッションの間に撮取された眼球運動データは、時々“眼の吹き替え”（音声吹き替えと同様である）と呼ばれる過程でアニメーターから記録された新しい眼球運動データで後処理において置換することができる。
【００１７】
第一の実施形態では、キャプチャセッションの間に撮取された眼球運動データは、上述したEOG技術を使用することができ、そして眼球運動データは、後処理にアニメーターから記録された新しい眼球運動データで置換される。別の実施形態では、眼球運動データは、後処理においてアニメーターから記録されたデータによって供給されるから、モーションキャプチャ処理装置は、キャプチャセッションの間の動作主の眼球運動を無視する。
【００１８】
モーションキャプチャセッション500（ビートと呼ばれる）の間、図5Aに示すように、マーカーが装着されたスーツを着用した動作主510はキャプチャ空間530の中で実演し、視野512内のキャプチャ物体（又はその他の背景物体）520のグループを有する。図示された実施形態では、キャプチャ物体のグループ520は特定方向522へ動く。別の実施形態では、グループ520内のキャプチャ物体は互いに異なる方向へ動いても良い。
【００１９】
第一の実施形態では、動作主510の視野512内のキャプチャ物体520のグループは、同じキャプチャ空間530内のほかの動作主および物体を含んでいる。このように、本実施形態では、キャプチャ空間530の辺りまたは動作主510上にある1つ以上のカメラは、“視界の点”（POV）のイメージ（つまり、動作主の眼によって見るイメージ）を撮取し、記録する。別の実施形態では、キャプチャ物体520のグループは、キャプチャ空間530の外で撮取され、または生成された仮想キャプチャ物体を含む。このように、本実施形態では、POVイメージは、撮取され／生成され、そしてオフラインで記録され、また、動作主は、想像上の／仮想の物体と連動し、反応する。POVイメージは、コンピュータグラフィックイメージとしてコンピュータシステム上で生成されることができる。
【００２０】
図5Bを参照すると、モーションキャプチャセッション500が終了した後、後処理セッション540は開始される。後処理セッション540では、アニメーター570が、キャプチャセッション500の間、動作主510から撮取された眼球運動データを置換するため、眼球運動データを生成するための実演を行う。後処理セッションでは、アニメーター570は眼球運動データのみを生成するための実演を行っているので、干渉信号を生成してしまうアニメーターの顔面筋肉運動は、最小限に保たれるだろう。
【００２１】
後処理セッション540は、図２に示すように、同様の設定でEOG電極を身につけるアニメーター570を含む。そして、アニメーター570は、記録されたPOVイメージ550を表示する仮想現実ゴーグル560を装着する。表示されたPOVイメージ550は、仮想現実ゴーグル560へダウンロードまたはストリームされることができる。このように、仮想現実ゴーグル560によって、アニメーター570は、動作主510がモーションキャプチャセッション中に見たか、または仮想的に見たであろうものを見ることが出来る。後処理部は、仮想現実ゴーグル560上に表示されたPOBイメージ550へ反応して、眼を動かすアニメーター570の眼球運動を記録する。そして、アニメーター570から撮取され、記録された眼球運動データは、動作主510から撮取された眼球運動データを置換するのに用いられる（“眼の吹き替え”）。
【００２２】
図６は、モーションキャプチャにおける眼球運動データ置換方法を示したフローチャートである。モーションキャプチャセッションの間、動作主に取り付けられたマーカーの動作は複数のモーションキャプチャカメラによって撮取される。さらに、動作主は、顔面のモーションデータを生成する顔面筋肉を活発に動かす。上述のように、610において、EOG電極を用いて動作主の眼球運動も撮取される。さらに、POBイメージは、612において撮取され又は生成され、614において記録される。そして、モーションキャプチャセッションが終了した後、アニメーターは動作主から撮取された眼球運動データを置換するために、眼球運動データを生成するための実演を行う。このように、616において、EOG電極はアニメーターに装着される。618では、POBイメージは仮想現実（VR）ゴーグルへダウンロードまたはストリームされる。620において、アニメーターは、VRゴーグルを装着し、622においてアニメーターの眼球運動が撮取される。624において、動作主の眼球運動データはアニメーターの眼球運動データで置換される。
【００２３】
図７Aは、コンピュータシステム700およびユーザ702を示す。ユーザ702は、モーションキャプチャデータを処理するためコンピュータシステム700を使用することが出来る。コンピュータシステム700は、眼球運動データ置換ユニット712を記憶および実行し、眼球運動データ置換ユニット712は、モーションキャプチャデータを同期させ、処理する。
【００２４】
図７Bは、眼球運動置換ユニットを含む図７Aのコンピュータシステム700の一実施形態のブロック図を示す。コンピュータシステム700は、コントローラ710、メモリー720、記憶装置730、メディアデバイス740、ユーザインタフェイス750．入力／出力（I/O）インタフェイス760、そしてネットワークインタフェイス770を有する。これらのコンポーネントはコモンバス780によって相互接続されている。選択的には、中央におけるコントローラが星型になっているように、異なった接続配置が用いられることも可能である。
【００２５】
コントローラ710は、プログラム可能な処理装置であり、コンピュータシステム700およびそのコンポーネントの動作を制御する。コントローラ710は、メモリー720または内臓されたコントローラメモリー（図示されていない）からの指令を取り込み、システムを制御するためにこれらの指令を実行する。その実行において、コントローラ710は、ソフトウェアシステムとして眼球運動データ置換ユニット712を提供する。選択的には、このサービスはコントローラ710またはコンピュータシステム700における個別コンポーネントとして実施できる。
【００２６】
メモリー720は、コンピュータシステム700のほかのコンポーネントによる使用のためにデータを一時的に記憶する。第一の実施形態では、メモリー720は、RAMとして実施される。第一の実施形態では、メモリー720は、フラッシュメモリーおよび／またはROMとして、長期記憶または固定記憶装置も含む。
【００２７】
記憶装置730は、コンピュータシステム700のその他のコンポーネントで用いるデータ、例えば眼球運動データ置換ユニット712によって使用される記憶データ、を一時的または長期的に記憶する。第一の実施形態では、記憶装置730はハードディスクドライブである。
【００２８】
メディアデバイス740は、取り外し可能なメディアを受け取り、挿入されたメディアに対してデータを読み、および／または、書き込む。第一の実施形態では、メディアデバイス740は光学ディスクドライブである。
【００２９】
ユーザインタフェイス750は、コンピュータシステム700のユーザからのユーザ入力を受け取り、ユーザへ情報を提供するための、コンポーネントを有する。第一の実施形態では、ユーザインタフェイス750は、キーボード、マウス、音声スピーカー、ディスプレイを有する。コントローラ710は、コンピュータシステム700の動作を調整するため、ユーザからの入力を利用する。
【００３０】
I/Oインタフェイス760は、対応するI/Oデバイスに接続するため、1つ以上のI/Oポート、例えば、外部記憶装置または追加デバイス（プリンターまたはPDA）を含む。第一の実施形態では、I/Oインタフェイス760のポートは、例えば、USPポート、PCMCIAポート、シリアルポート、および／またはパラレルポート、のようなポートを有する。別の実施形態では、I/Oインタフェイス760は、外部デバイスと、無線で通信するためのワイヤレスインタフェイスを有する。
【００３１】
ネットワークインタフェイス770は、例えば、イーサネット（登録商標）接続をサポートするRJ-45または“Wi-Fi”インタフェイス(802.11)のような、有線および／または無線のネットワーク接続を有する。
【００３２】
コンピュータシステム700は、コンピュータシステムで一般的な追加ハードウェアおよび追加ソフトウェア(電源、冷却、動作システム)を有するが、図７Bでは、簡略化するために、これらのコンポーネントは特に示されていない。別の実施形態では、コンピュータシステムの異なる構成を採用することも出来る（異なるバスまたは記憶装置構成またはマルチプロセッサ構成）。
【００３３】
図８は、眼球運動データ置換ユニット800を図示したブロック図である。図示された実施形態では、眼球運動データ置換ユニット800は、モーションキャプチャセッションに続いて、アニメーターから眼球運動データを撮取するアニメーター眼球運動キャプチャユニット810を有する。ユニット800は、また、キャプチャセッションの間に撮取されたモーションキャプチャデータを受け取り、動作主からの眼球運動データでアニメーター眼球運動置換ユニット810から受け取ったアニメーターの眼球運動データを置換する、置換ユニット820を有する。置換ユニット820からの合成出力は、“眼の吹き替えを行った”モーションキャプチャデータである。
【００３４】
本発明の様々な具体的な実施形態は、上述のとおりである。しかしながら、本発明への追加実施も、実現可能であり、かつ本発明の範囲内であることは、当業者であれば理解するだろう。例えば、異なる技術（EOG電極の使用以外）は、仮想環境に応じて、アニメーターの眼球運動を撮取するために利用できる。1つの例では、1つ以上のデジタルカメラは、表示されたPOVイメージに応じた、アニメーターの眼球運動を光学的に撮取するためのVRゴーグルに組み込まれる。別の例では、1つ以上のデジタルカメラが、アニメーターの眼の前面に配置され、透明なVRゴーグルを通してアニメーターの眼球運動を光学的に撮取する。さらに、本実施形態は、モーションキャプチャセッションの間実演している動作主および、後処理セッションの間実演しているアニメーターについて述べているが、その2つの項目は取り替えることができ、例えば、第一の動作主および第二の動作主または両者のセッションは、単一の動作主によって実演されることができる。
【００３５】
したがって、本発明は、上述したこれらの実施形態のみに限定されるものではない。
【図面の簡単な説明】
【００３６】
本発明の詳細である、本構成および本動作の両者は、添付図面の研究によって一部集めることができるだろう。図中では、参照数字は部品を参照する。
【図１】図１は、モーションキャプチャシステムを図示するブロック図である。
【図２】図２は、眼の位置に関してEOG電極対および接地電極についての指定された位置を示す。
【図３】図３は、人間の眼の側断面図である。
【図４Ａ】図４Aは、双極子（すなわち眼）が前方を向いているとき、電極間の測定された電場がゼロ（null）となることを示す。
【図４Ｂ】図４Bは、右へ向いた双極子を示し、それによって電極間に正の電場が生ずる。
【図５Ａ】図５Aは、モーションキャプチャセッションの一例を示す。
【図５Ｂ】図５Bは、後処理セッションの一例を示す。
【図６】図６は、モーションキャプチャにおける眼球運動データ置換方法を示したフローチャートである。
【図７Ａ】図７Aは、コンピュータシステムおよびユーザを示す。
【図７Ｂ】図７Bは、眼球運動置換ユニットを含む図７Aのコンピュータシステムの一実施形態のブロック図を示す。
【図８】図８は、眼球運動データ置換ユニットを図示したブロック図である。
【図１】
2009521759.tif 000003
【図２】
2009521759.tif 000004
【図３】
2009521759.tif 000005
【図４Ａ】
2009521759.tif 000006
【図４Ｂ】
2009521759.tif 000007
【図５Ａ】
2009521759.tif 000008
【図５Ｂ】
2009521759.tif 000009
【図６】
2009521759.tif 000010
【図７Ａ】
2009521759.tif 000011
【図７Ｂ】
2009521759.tif 000012
【図８】
2009521759.tif 000013
【国際調査報告】
2009521759.tif 000014